(57)【特許請求の範囲】
【請求項１】
機器直結Ｔ形終端接続端末用の端子を横１列に複数有する地中線機器の上記端子と、地中から立ち上げた複数のケーブルの終端部の機器直結直線形終端接続端末とを電気的に接続する端末変換アダプタであって、
当該端末変換アダプタは、Ｔ形の水平部が機器直結Ｔ形終端接続端末と同様の構造であって、当該水平部の前面は、機器側ブッシングに接続される凹部から成る接続部であり、同後面は、検電キャップ、その内側には絶縁栓、締付ボルトが設けられ、当該締付ボルトの先端は、上記接続部の凹部内に突出した構造から成り、Ｔ形の垂直部下端が上記機器直結直線形終端接続端末と接続自在な端末から成り、
上記端末変換アダプタは、上記Ｔ形の水平部に対する上記垂直部の位置が前後にずれた２種類の端末変換アダプタを用意し、
上記地中線機器の横１列に並んだ複数の端子に上記２種類の端末変換アダプタを交互に接続する構成としたことを特徴とする、地中線機器用端末変換アダプタ。
【請求項２】
上記２種類の端末変換アダプタを交互に接続した各垂直部に、上記複数の各ケーブルの終端部の機器直結直線形終端接続端末を夫々接続することにより、隣接する上記機器直結直線形終端接続端末が接触しない配置となるように構成したことを特徴とする、上記請求項１に記載の地中線機器用端末変換アダプタ。
【請求項３】
上記２種類の端末変換アダプタの水平部の長さが同じ長さであることを特徴とする、上記請求項１又は２の何れかに記載の地中線機器用端末変換アダプタ。
【請求項４】
上記地中線機器用端末変換アダプタの使用に際して、上記地中線機器を設置する基礎の上に、当該地中線機器の高さを上げる一定高さを有する架台を設けたことを特徴とする、上記請求項１、２又は３の何れかに記載の地中線機器用端末変換アダプタ。
【発明の詳細な説明】
【技術分野】
【０００１】
この発明は、電力供給のために路上に設置される路上設置型開閉器等の機器の取替工事において、地中から立ち上げられた既設の高圧ケーブル及び端末を利用し、新しい路上開閉器を設置出来る地中線機器用端末変換アダプタに関するものである。
【背景技術】
【０００２】
従来、一般的に、図８に示す様に、路上設置型の開閉器２４はマンホールあるいはハンドホール（以下、総称して「マンホール」と言う。）２３上に設置され、地中から立ち上げられた高圧ケーブル２２の終端部に夫々機器直結直線形終端接続端末Ｃ（以下、「直線形端末Ｃ」と言う。）を取り付けて上記開閉器２４と接続している。
【０００３】
昨今では、図９に示す様に、機器の小型化、信頼性の向上、長寿命化等を求め、また、環境への影響を配慮した６フッ化硫黄ガス（SF６ガス）を使用しない気中地中多回路開閉器（Ｔ形端末用開閉器）２５へと取り替えが行われており、この様なＴ形端末用開閉器２５では、小型で施工作業性が良い機器直結Ｔ形終端接続端末（以下、「Ｔ形端末」と言う。）Ｂが使用されている（以下、上記「Ｔ形端末用開閉器２５」を「開閉器２５」と言う。）。
【０００４】
また、従来の上記直線形端末Ｃは大径であり、上記Ｔ形端末Ｂとは胴径が異なり、サイズが合わず、これらの端末間では互換性が無い。よって、既設の直線形端末Ｃを使用した開閉器２４をＴ形端末Ｂを使用する開閉器２５に取替を行う場合、直線形端末ＣをＴ形端末Ｂへと取り替える、いわゆるケーブル端末の組替となる。しかし、この様なケーブル端末の組替工事を行っていたのでは作業時間と費用が増加する一方となる。また、ケーブル端末の組替では、既設ケーブルの端末を切断するため、ケーブルの長さが足りなくなり、ケーブルの延長を伴う場合もある。
【０００５】
そこで、上記ケーブル端末の組替工事に当たっては、特許文献１の電力ケーブル延長用アダプタが使用されている。この電力ケーブル延長用アダプタは、マンホールの上に設置された路上機器の接続部と、前記マンホール内に存在している既設ケーブルの接続部とをお互いに接続するための電力ケーブル延長用アダプタにおいて、可撓性を備えたケーブル部と、前記ケーブル部の一端部に設けられ、前記路上機器の接続部とワンタッチ接続自在な機器側接続コネクタと、前記ケーブル部の他端部に設けられ、前記既設ケーブルの接続部とワンタッチ接続自在なケーブル側接続コネクタとを有して成るものである。
【０００６】
旧式路上機器と接続している既設ケーブルのケーブル部の、前記マンホール内に存在している部位を切断する切断工程と、前記旧式路上機器を撤去する撤去工程と、前記既設ケーブルの切断箇所に接続部を設ける接続部設置工程と、前記新式路上機器を前記マンホール上に設置する路上機器設置工程と、前記新式路上機器の接続部と前記既設ケーブルの接続部とを上記電力ケーブル延長用アダプタを使って接続する接続工程を行って路上機器交換が為されている。
【先行技術文献】
【特許文献】
【０００７】
【特許文献１】特開２００９−２９６７７３号公報
【発明の開示】
【発明が解決しようとする課題】
【０００８】
しかしながら、上記特許文献１のものでは、既設の高圧ケーブルを切断するものであって、高圧ケーブルの切断作業と言うのは、高度な技術と大変な神経を使う作業となり、やはり作業時間の増加及びコストの増加は避けられない。さらに、一つの多回路開閉器は電力会社と電力需要家との領域が分かれている場合があり、上記既設の高圧ケーブルが電力需要家の所有である場合、この高圧ケーブルの切断と言うことになると許可が得られなかったり、許可を得ることに時間がかかったりするなど各種の不都合や不便が生じることがある。
【０００９】
また、上記特許文献１では、地下のマンホール内で高圧ケーブルと端末との接続作業を行っているため、接続個所に防水処理を施す必要があり、さらに、その分、作業手間や費用がかかることとなる。
【００１０】
さらに、特殊な事例として地下容積に制限があり、開閉器２４下にマンホールが置けず、ケーブルを内蔵した管路が空洞のない全面基礎となった開閉器２４下部に直接立ち上がっている場合がある。このような場合では、管路内部でケーブルを接続することになるため、上記特許文献１のものでは対応することができない。
【００１１】
この発明は、これらの点に鑑みて為されたもので、既設の開閉器が直線形端末を使用した開閉器を新しい開閉器に取り替える場合において、当該新しい開閉器がＴ形端末を使用するものであっても、上記既設ケーブルを切断すること無く、当該既設ケーブルの直線形端末と直に接続が出来、また、新しい開閉器と接続が出来る、地中線機器用端末変換アダプタを提供して上記課題を解決するものである。
【課題を解決するための手段】
【００１２】
請求項１の発明は、機器直結Ｔ形終端接続端末用の端子を横１列に複数有する地中線機器の上記端子と、地中から立ち上げた複数のケーブルの終端部の機器直結直線形終端接続端末とを電気的に接続する端末変換アダプタであって、当該端末変換アダプタは、Ｔ形の水平部が機器直結Ｔ形終端接続端末と同様の構造であって、当該水平部の前面は、機器側ブッシングに接続される凹部から成る接続部であり、同後面は、検電キャップ、その内側には絶縁栓、締付ボルトが設けられ、当該締付ボルトの先端は、上記接続部の凹部内に突出した構造から成り、Ｔ形の垂直部下端が上記機器直結直線形終端接続端末と接続自在な端末から成り、上記端末変換アダプタは、上記Ｔ形の水平部に対する上記垂直部の位置が前後にずれた２種類の端末変換アダプタを用意し、上記地中線機器の横１列に並んだ複数の端子に上記２種類の端末変換アダプタを交互に接続する構成とした地中線機器用端末変換アダプタとした。
【００１３】
請求項２の発明は、上記２種類の端末変換アダプタを交互に接続した各垂直部に、上記複数の各ケーブルの終端部の機器直結直線形終端接続端末を夫々接続することにより、隣接する上記機器直結直線形終端接続端末が接触しない配置となるように構成した上記請求項１に記載の地中線機器用端末変換アダプタとした。
【００１４】
請求項３の発明は、上記２種類の端末変換アダプタの水平部の長さが同じ長さである上記請求項１又は２の何れかに記載の地中線機器用端末変換アダプタとした。
【００１５】
請求項４の発明は、上記地中線機器用端末変換アダプタの使用に際して、上記地中線機器を設置する基礎の上に、当該地中線機器の高さを上げる一定高さを有する架台を設けた上記請求項１、２又は３の何れかに記載の地中線機器用端末変換アダプタとした。
【発明の効果】
【００１６】
請求項１の発明によれば、上記路上設置型開閉器の取替工事において、既設のケーブルを切断すること無く、また、当該ケーブル及び直線形端末をそのまま使用し、これらと直に接続出来るので、従来の様なケーブル端末の組替作業を行う必要が無く、作業時間の短縮及び端末材等の廃棄物の削減を図ることが出来る。また、ケーブルを切断しないので、何よりも安全である。
【００１７】
さらに、上記ケーブルを切断しないので、当該ケーブルが電力需要家の所有であっても、切断許可を得ると言ったことが不要となり、作業員の負担の軽減にも大きく貢献するものである。また、地中線機器用端末変換アダプタを、自身のＴ形の垂直部の位置が前後にずれた２種類のものを用意し、上記地中線機器の横１列に並んだ複数の端子に交互に接続する構成としたので、各アダプタの垂直部下端の端子に接続する機器直結直線形終端接続端末が大径であっても、前後にずれるので、取替後の端末変換アダプタを正面に沿って円滑に各機器側ブッシングに接続することが出来、作業性も良く、作業時間の短縮が図れるものである。
【００１８】
請求項２の発明によれば、２種類の端末変換アダプタを交互に接続した各垂直部に、上記複数の各ケーブルの終端部の機器直結直線形終端接続端末を夫々接続することにより、隣接する上記機器直結直線形終端接続端末が接触しない配置となるように構成したので、これらの機器直結直線形終端接続端末が大径であっても難無く容易に接続することが出来る。
【００１９】
請求項３の発明によれば、２種類の端末変換アダプタの水平部の長さを同じ長さとしたので、地中線機器用端末変換アダプタを地中線機器に接続した際、各地中線機器用端末変換アダプタの後端の検電キャップが同じ位置に並び、検電作業を極めて容易に行うことが出来、便利である。
【００２０】
請求項４の発明によれば、地中線機器用端末変換アダプタの使用に際して、上記路上設置型開閉器を設置する基礎の上に、当該路上設置型開閉器の高さを上げる一定高さを有する架台を設けたので、既存の立ち上がりケーブルの機器直結直線形終端接続端末の上に端末変換アダプタを接続することにより全体が長くなっても、作業性が損なわれず便利である。また、既設の直線形端末を地下であるマンホール内に落とし込むこと無く機器内部に配置出来るため過剰な防水処理は不要である。更にマンホール内からの湿気侵入を防止する底板やケーブルを機械的に把持するケーブルクリートの配置や取り付け作業も容易となる。
【図面の簡単な説明】
【００２１】
【図１】この発明の実施の形態例の端末変換アダプタの下端部に直線形端末を接続し、上部の接続部を機器側ブッシングに接続する様子を示す概略図である。
【図２】(a)この発明の実施の形態例の端末変換アダプタであって、当該端末変換アダプタを開閉器に取り付けた場合、垂直部が奥側に位置するものの側面断面図である。(b)上記(a)の端末変換アダプタの正面図である。
【図３】この発明の実施の形態例の端末変換アダプタであって、当該端末変換アダプタを開閉器に取り付けた場合、垂直部が手前側に位置するものの側面断面図である。
【図４】この発明の実施の形態例の端末変換アダプタを基礎から立ち上げた状態の一部省略平面図である。
【図５】この発明の実施の形態例の端末変換アダプタを基礎から立ち上げた状態の一部省略拡大平面図である。
【図６】この発明の実施の形態例の端末変換アダプタを使用して基礎の上に、Ｔ形端末用の開閉器を設置する様子を示した一部省略側面図である。
【図７】この発明の実施の形態例の端末変換アダプタを使用して基礎の上に、Ｔ形端末用の開閉器を設置する様子を示した一部省略正面図である。
【図８】従来の直線形端末用の開閉器の一部省略正面図及び一部省略側面図である。
【図９】Ｔ形端末用の開閉器の一部省略正面図及び一部省略側面図である。
【発明を実施するための形態】
【００２２】
（実施の形態例）
以下、この発明の実施の形態例の地中線機器用端末変換アダプタ（以下、単に「端末変換アダプタ」と言う。）Ａを図に基づいて説明する。この実施の形態例の端末変換アダプタＡは、図１及び図２に示す様に、Ｔ形端末用多回路開閉器に接続する高圧ケーブルの端部に設けられるＴ形端末Ｂの構成を前提としている（図９参照）。
【００２３】
ここで、この端末変換アダプタＡの構成は、既存のＴ形端末Ｂの構成と基本的には同様であるが、この端末変換アダプタＡの垂直部２の下端部は、高圧ケーブル２２の終端部に取り付けられた直線形端末Ｃを接続出来る構成となっている。具体的には、図１及び図２に示す様に、いわゆる羽子板端子（以下、単に「羽子板端子」と言う。）４とし、この羽子板端子４は上記既存の直線形端末Ｃの内側の羽子板端子と重合してボルトとナットで接続固定出来る構成となっている。
【００２４】
また、この端末変換アダプタＡは、Ｔ形の水平部１を支持する垂直部２の位置が異なる２種類のものを用意している。図２及び図３に示す様に、Ｔ形の垂直部２から、機器側ブッシング２１への接続部３までの長さが短いものをＡ１と、長いものをＡ２としている。また、端末変換アダプタＡ１とＡ２のＴ形の水平部１の長さ及び垂直部２の長さは同じである。
【００２５】
その他の構成は、基本的に既存のＴ形端末Ｂと同じである。例えば、Ｔ形を形成する水平部１の前面は、機器側ブッシング２１に接続される凹部から成る接続部３であり、同後面は、検電キャップ５、その内側には絶縁栓６、締付ボルト７が設けられ、当該締付ボルト７の先端は、上記接続部３の凹部内に突出している。
【００２６】
次に、この実施の形態例の端末変換アダプタＡを用いて、直線形端末Ｃを取り付けた高圧ケーブル２２が立ち上がっているマンホール２３上に、Ｔ形端末Ｂを取り付ける開閉器２５を設置し、これらを接続する様子を説明する。
【００２７】
最初に、直線形端末Ｃを取り付けた、立ち上げ高圧ケーブル２２を説明すると、図８に示す様に、この高圧ケーブル２２は、直線形端末用の開閉器２４の側面に沿って３相の高圧ケーブル２２の直線形端末Ｃを１列に立ち上げている。これに対し、取替が行われるＴ形端末Ｂの高圧ケーブル２２は、図９に示す様に、Ｔ形端末用の開閉器２５の正面に沿って３相のＴ形端末Ｂを１列に配置する。また、直線形端末Ｃは、Ｔ形端末Ｂよりも一般的に胴径が大きい。
【００２８】
また、図８及び図９に示す様に、上記直線形端末用の開閉器２４は、上記Ｔ形端末用の開閉器２５と比べて高さも高く大きいものとなっている。
【００２９】
続いて、この端末変換アダプタＡを使用して実際に作業を行う。ここでは、Ｔ形端末用の開閉器２５は既にマンホール２３の基礎２６の上に設置され、直線形端末Ｃ、端末変換アダプタＡ及びＴ形端末用の開閉器２５の機器側ブッシング２１はまだ接続されていない状態とする。
【００３０】
まず、地中から立ち上がっている３本の高圧ケーブル２２のうち、１本の高圧ケーブル２２の直線形端末Ｃの外側にある絶縁筒を引き下げて羽子板端子（図示省略）を露出させ、図１に示す、端末変換アダプタＡの羽子板端子４とを重ね合わせて、ボルトとナットで固定し、直線形端末Ｃの絶縁筒を引き上げて端末変換アダプタに被せる。その後、この端末変換アダプタＡの接続部３を機器側ブッシング２１に被せて接続する。この接続の仕方は従来のＴ形端末Ｂと同じ要領で行う。
【００３１】
この後、順次、各端末変換アダプタＡの羽子板端子４と上記立ち上げられた高圧ケーブル２２の直線形端末Ｃの羽子板端末を重ね合わせて固定し、この端末変換アダプタＡの接続部３を機器側ブッシング２１に被せ固定して行けば良いが、既に述べたように、上記３相の直線形端末Ｃは、開閉器２４の側面に沿って１列に並設されているのに対し、３相のＴ形端末は開閉器２５の正面に沿って１列に並設されるものである。また、直線形端末ＣはＴ形端末Ｂよりも大径となっており、やみくもにこれらの接続作業を行っても、開閉器２５の隣接する機器側ブッシング２１の間隔が狭く、１列に並べることが出来るものでは無い。
【００３２】
また、ここでは、直線形端末Ｃは外径約φ９０ｍｍとし、端末変換アダプタＡの垂直部２は外径φ６５ｍｍ（６５ｍｍピッチ）とする。
【００３３】
上述の様に、３相の端末変換アダプタＡの垂直部２と直線形端末Ｃの幅は、φ６５ｍｍ×３＜φ９０ｍｍ×３であり、ここでは、上記直線形端末Ｃに取り付けた端末変換アダプタＡを正面に沿って１列に並設することは不可能である。それ故、図４、図５及び図６に示す様に、これらの端末変換アダプタＡと接続した直線形端末Ｃの位置を前後にずらして、これらの端末変換アダプタＡを開閉器２５の正面に沿って１列に並べても隣接する直線形端末Ｃは、一直線上にならず、相互に接触しない様に配置する。
【００３４】
具体的に言うと、図５に示す様に、最も右に位置する開閉器２５の端末変換アダプタＡと接続する直線形端末Ｃを右から「後」、「前」及び「後」の平面視「谷型」に配置する。直線形端末Ｃが「後」の位置では上記端末変換アダプタＡ１を使用し、「前」の位置では上記端末変換アダプタＡ２を使用し、図４に示す様に、斜めの状態で１００ｍｍピッチで配置する。
【００３５】
その左の位置に隣接する他回路のＴ形端末用の開閉器２５の端末変換アダプタＡと接続した直線形端末Ｃを「前」、「後」及び「前」の平面視「山形」で、同様に１００ｍｍピッチで配置し、その左の位置に隣接する他回路の開閉器２５の端末変換アダプタＡと接続した直線形端末Ｃを「後」、「前」及び「後」の平面視「谷型」で、同様に１００ｍｍピッチで配置していく。この様に回路ごとに配置を変えることで、狭い空間であっても、端末変換アダプタＡを正面に沿って１列に配置することが出来る。その後、基礎２６の上面の開口を底板２７で閉じて当該開口を閉鎖するが、高圧ケーブル２２は底板２７上又は下でケーブルクリート２８で固定することとする。
【００３６】
また、上記の様に端末変換アダプタＡと接続した直線形端末Ｃを前後にずらして配置した場合であっても、端末変換アダプタＡは、全体の長さとして上記直線形端末Ｃに自身の端末変換アダプタＡを加えたかたちとなるので、当該端末変換アダプタＡの長さが長く、また、Ｔ形端末用の開閉器２５の機器側ブッシング２１の位置が低くて、作業性が損なわれる場合がある。また、既設の直線形端末Ｃが地下であるマンホール内に落とし込まれ、防水処理が必要となる場合がある。
【００３７】
その場合は、図６及び図７に示す様に、基礎２６の上にＴ形端末用の開閉器２５を設置する前に、一定の高さを有する平面視長方形状の枠体から成る架台２９を先に基礎２６上に設置しておくことにより、施工作業性に支障を来すことなく、また、既設の直線形端末Ｃを過剰な防水処理が不要な機器内部に配置することが出来る。
【００３８】
また、上記架台２９は予めチャネルベース３０と一体に設けても良く、その場合の前面の一部を着脱自在に設けておくと、当該架台２９は予めチャネルベース３０の前面を開放した場合、内部を見ることが出来、さらには、手を入れて作業を行うことも出来、便利である。
【００３９】
さらに、この実施の形態例では、端末変換アダプタＡと高圧ケーブル２２の直線形端末Ｃとの接続を基礎２６より上方、すなわち地上で行っているので、上記接続部分の防水処理は不要となり、その分、作業時間の短縮となる。
【００４０】
上記実施の形態例では、直線形端末Ｃは外径約φ９０ｍｍとし、端末変換アダプタＡの垂直部２は外径φ６５ｍｍ（６５ｍｍピッチ）で１列に並設し、さらに、斜めの状態で１００ｍｍピッチで端末変換アダプタＡの直線形端末Ｃを「後」、「前」及び「後」の「谷型」等で配置しているが、直線形端末Ｃの外径、端末変換アダプタＡの垂直部２の外径及び端末変換アダプタＡを斜めの状態で配置するピッチとしてはこれらの数値に限るものでは無く、Ｔ形端末用の開閉器２５内に収まり、かつ直線形端末Ｃ同士が接触しない数値ならば他のものでも良い。
【００４１】
また、上記架台２９は不要な時はもちろん使用することは無い。さらに、端末変換アダプタＡを使って開閉器２５に接続しているが、当該端末変換アダプタＡを接続するのは、開閉器２５に限らず、当該端末変換アダプタＡを使用して接続出来る地中線機器なら何でも良い。また、端末変換アダプタＡ１とＡ２のＴ形の水平部１の長さに加えて、垂直部２の長さも同じとしているが、垂直部２の長さは同じではなく、不揃いでも良い。
【００４２】
さらに、直線形端末Ｃを含む高圧ケーブル２２の取替工事を行う場合には、当該端末変換アダプタＡを使用せず新たにＴ型端末Ｂを組み立て、開閉器２５の３相１組を単位とした回路ごとに直接接続することが出来る。
【符号の説明】
【００４３】
Ａ    端末変換アダプタ          Ａ１  端末変換アダプタ
Ａ２  端末変換アダプタ          Ｂ    Ｔ形端末
Ｃ    直線形端末
１    水平部                    ２    垂直部
３    接続部                    ４    羽子板端子
５    検電キャップ              ６    絶縁栓
７    締付ボルト
２１    機器側ブッシング        ２２    高圧ケーブル
２３    マンホール              ２４    開閉器
２５    開閉器                  ２６    基礎
２７    底板                    ２８    ケーブルクリート
２９    架台                    ３０    チャネルベース
【図１】
0005848377.tif 000002
【図２】
0005848377.tif 000003
【図３】
0005848377.tif 000004
【図４】
0005848377.tif 000005
【図５】
0005848377.tif 000006
【図６】
0005848377.tif 000007
【図７】
0005848377.tif 000008
【図８】
0005848377.tif 000009
【図９】
0005848377.tif 000010